(57)【特許請求の範囲】
【請求項１】
ファインダスクリーンが交換可能なカメラに用いられ、前記ファインダスクリーンを透過した光束を受光して測光を行う測光装置において、
被写界中の中央部に対する測光値および前記中央部の周囲領域に対する測光値をそれぞれ出力する測光センサと、
前記ファインダスクリーンの種類を識別する識別手段と、
前記識別手段の識別結果が所定の種類を示す場合には前記中央部に対する測光値を演算し、前記所定の種類以外を示す場合には前記中央部と前記周囲領域とからなる領域に対する測光値を前記中央部の測光値として演算する演算手段とを具備することを特徴とする測光装置。
【請求項２】
ファインダスクリーンが交換可能なカメラに用いられ、前記ファインダスクリーンを透過した光束を受光して測光を行う測光装置において、
被写界中の中央部に対応する第１の領域に対する測光値および前記第１の領域を含みかつ該第１の領域よりも広い第２の領域に対する測光値をそれぞれ出力する測光センサと、
装着されているファインダスクリーンが所定のタイプのものか否かを判別する判別手段と、
前記所定のタイプのファインダスクリーンと判別された場合には前記第１の領域に対する測光値を選択し、前記所定のタイプ以外のファインダスクリーンと判別された場合には前記第２の領域に対する測光値を前記第１の領域の測光値として選択する選択手段とを具備することを特徴とする測光装置。
【請求項３】
前記演算手段は、前記中央部の測光値と前記周囲領域の測光値とを非対数変換値で平均して対数変換することを特徴とする請求項１に記載の測光装置。
【請求項４】
前記測光センサは、被写界を複数に分割した分割領域に対応する測光値をそれぞれ出力する複数の分割測光素子を有し、
前記選択手段は、前記複数の分割測光素子のうち第１の位置に位置する測光素子の出力を前記第１の領域の測光値として選択し、第２の位置に位置する測光素子の出力を前記第２の領域の測光値として選択することを特徴とする請求項２に記載の測光装置。
【請求項５】
請求項１〜４のいずれか１項に記載の測光装置を備えることを特徴とするカメラ。
【発明の詳細な説明】
【０００１】
【発明の属する技術分野】
本発明は、ファインダスクリーン交換式でかつファインダ測光を行うカメラ、およびこの種のカメラに用いられる測光装置に関する。
【０００２】
【従来の技術】
ファインダスクリーン上に結像した被写体像を測光センサ上に再結像させて測光する、いわゆるファインダ測光を行うカメラが知られている。また測光方式として、被写界中央部分の狭い領域のみの測光情報を露出演算用の測光値として用いるスポット測光が知られている。
【０００３】
【発明が解決しようとする課題】
ファインダスクリーン交換式のカメラでファインダ測光によるスポット測光を行う場合、次のような問題がある。
交換ファインダスクリーンには、合焦確認を容易にするために中央のスポット測光領域に相当する部分にスプリットプリズムやマイクロプリズムなどが配置されたものがある。この種のファインダスクリーンを用いると、特にＦ値の大きいレンズを付けた場合などにスプリットプリズムやマイクロプリズムを設けた部分にかげりが生じ、正確なスポット測光値が得られないことがある。つまりファインダ測光方式のカメラでは、ファインダスクリーン上に結像した像をペンタダハプリズムと測光用再結像レンズを通して測光センサ上に再結像させて測光するので、ファインダスクリーンの局所的な明るさの違いがスポット測光値に影響を与えてしまう。
【０００４】
そこで従来カメラでは、ファインダ測光用の測光素子とは別にスポット測光専用の測光素子をファインダ外に設け、スポット測光時にはこの測光素子の出力を用いるようにしているが、この方式ではコストやスペース的な問題がある。
【０００５】
本発明の目的は、測光値に影響を与えるおそれのあるファインダスクリーンを使用した場合でも正確なファインダ測光が可能な測光装置およびカメラを提供することにある。
【０００６】
【課題を解決するための手段】
本発明に係る測光装置は、ファインダスクリーンが交換可能なカメラに用いられ、ファインダスクリーンを透過した光束を受光して測光を行うものである。
請求項１の発明は、被写界中の中央部に対する測光値および中央部の周囲領域に対する測光値をそれぞれ出力する測光センサと、ファインダスクリーンの種類を識別する識別手段と、識別手段の識別結果が所定の種類を示す場合には中央部に対する測光値を演算し、所定の種類以外を示す場合には中央部と周囲領域とからなる領域に対する測光値を中央部の測光値として演算手段とを具備する。
請求項２の発明は、被写界中の中央部に対応する第１の領域に対する測光値および第１の領域を含みかつ第１の領域よりも広い第２の領域に対する測光値をそれぞれ出力する測光センサと、装着されているファインダスクリーンが所定のタイプのものか否かを判別する判別手段と、所定のタイプのファインダスクリーンと判別された場合には第１の領域に対する測光値を選択し、所定のタイプ以外のファインダスクリーンと判別された場合には第２の領域に対する測光値を第１の領域の測光値として選択する選択手段とを具備する。
本発明に係るカメラは、上記測光装置を備えて成る。
【０００７】
【発明の実施の形態】
−第１の実施の形態−
図１〜図４により本発明を一眼レフレックスカメラに適用した場合の第１の実施の形態を説明する。
図１は本実施の形態に係る一眼レフレックスカメラの概略構成を示し、１０はカメラボディで、ファインダスクリーン３，ペンタダハプリズム４，ファインダ接眼レンズＬ，再結像レンズ５および測光センサ６を備え、ファインダスクリーン３が交換可能とされる。
【０００８】
撮影レンズ１を透過してカメラボディ１０に導かれた被写体からの光束は、クイックリターンミラー２で上方に反射され、ファインダスクリーン３上に結像する。ファインダスクリーン３上に結像した被写体像は、ペンタダハプリズム４を介してファインダ接眼レンズＬで観察されるとともに、測光用再結像レンズ５を介して測光センサ６上に再結像される。
【０００９】
図２は測光センサ６の正面図であり、Ｓｐ１は画面中央部に対応する第１のスポット測光領域を、Ｓｐ２は領域Ｓｐ１およびＳｐ１の周囲領域から成る第２のスポット測光領域をそれぞれ示す。測光センサ６は、領域Ｓｐ１を測光するための第１のスポット測光素子と、領域Ｓｐ２のうち領域Ｓｐ１を除くドーナツ状の領域を測光するための第２のスポット測光素子を有している。各測光素子は被写体像の輝度分布を測定し、その測定結果に応じた測光値を演算装置７へ出力する。
【００１０】
なお、測光センサ全体における第１および第２のスポット測光領域の位置関係は、被写界における第１および第２のスポット測光領域（不図示）の位置関係と対応する。また測光センサ６にはスポット測光領域以外にも測光素子が設けられ、中央部重点測光や分割測光に寄与する。
【００１１】
図１の８はカメラボディ１０に設けられたファインダスクリーン識別部であり、装着されているファインダスクリーンの種類を識別する。すなわち、各ファインダスクリーンには、例えば図３（ａ）〜（ｃ）に示すようにスクリーンの種類に応じた判別用部材１４が設けられている。図３（ａ）の１１はスプリットプリズムやマイクロプリズムが設けられていない、全体がマット面のファインダスクリーン、図３（ｂ）の１２は画面中央部（スポット測光領域に相当する部分）にスプリットプリズムを設けたファインダスクリーン、図３（ｃ）の１３は画面中央部にマイクロプリズムを設けたファインダスクリーンである。判別用部材１４は電気接点などで構成され、その電気接点の取付けられる位置がファインダスクリーンの種類に応じて異なる。ファインダスクリーンがカメラボディ１０に装着されると、判別用部材１４がスクリーン判別部８に接触し、スクリーン判別部８は電気接点の位置に応じた信号を演算装置７に出力する。
【００１２】
図４は演算装置７によるスポット測光制御の手順を示すフローチャートである。
スポット測光モード設定時に例えばレリーズボタンが半押し操作されるこのプログラムが起動され、まずステップＳ１では測光センサ６から測光値Ｂ101，Ｂ102を入力する。Ｂ101は領域Ｓｐ１を測光するための第１のスポット測光素子の出力であり、Ｂ102は領域Ｓｐ２のうち領域Ｓｐ１を除く領域を測光するための第２のスポット測光素子の出力である。なお、これらの測光値は非対数変換値である。
【００１３】
ステップＳ２では、スクリーン判別部８からの判別信号によりカメラボディ１０に取付けられているファインダスクリーンを識別する。スプリットプリズムやマイクロプリズムが設けられていないファインダスクリーン１１と判定された場合にはステップＳ３に進み、上記測光値Ｂ101を対数変換して次式によりスポット測光領域Ｓｐ１の測光値Ｂｓｐ１を算出する。
Ｂｓｐ１＝ｌｏｇ2Ｂ101＋Ｏｂ１
ただし、Ｏｂ１はオフセット補正値
この演算された測光値Ｂｓｐ１に基づいて露出値が決定される。
【００１４】
一方、スプリットプリズムあるいはマイクロプリズムが設けられているファインダスクリーン１２または１３が取付けられていると判定された場合にはステップＳ４に進み、上記測光値Ｂ101，Ｂ102の平均値Ａｖ２を次式により算出する。
Ａｖ２＝（Ｂ101＋Ｂ102）／２
【００１５】
ステップＳ５では、平均値Ａｖ２を対数変換して次式によりスポット測光領域Ｓｐ２の測光値Ｂｓｐ２を算出する。
Ｂｓｐ２＝ｌｏｇ2Ａｖ２＋Ｏｂ２
ただし、Ｏｂ２はオフセット補正値
この演算された測光値Ｂｓｐ２に基づいて露出値が決定される。
【００１６】
以上のように本実施の形態では、装着されるファインダスクリーンの種類を識別し、スポット測光に悪影響を与えるスプリットプリズムやマイクロプリズムを備えたファインダスクリーンが装着されている場合には、スポット測光領域を通常の領域よりも広くするようにした。したがって、ファインダスクリーンに生じる局所的な明るさの違いがスポット測光値に与える誤差を極力抑えることができ、どのようなファインダスクリーンが装着されていても正確な露出値が得られる。
【００１７】
−第２の実施の形態−
図５および図６により本発明の第２の実施の形態を説明する。
本実施の形態では、被写界を横２０、縦１２の合計２４０個の領域に分割し、各分割領域ごとに測光を行う。図５（ａ），（ｂ）は測光センサの正面図であり、この測光センサは被写界の分割状況に合わせて合計２４０個の分割測光素子を有し、各分割測光素子は被写界の各位置の輝度に応じた測光値を出力する。特に中央部分の１２個の測光素子には図５（ｂ）の如くＥ１〜Ｅ１２の符号を付し、測光素子Ｅ１〜Ｅ４から成る領域を第１のスポット測光領域Ｓｐ３、測光素子Ｅ１〜Ｅ１２から成る領域を第２のスポット測光領域Ｓｐ４と呼ぶ。その他の構成は図１，図３に示すものと同様である。
【００１８】
図６は本実施の形態におけるスポット測光制御の処理手順を示すフローチャートである。
ステップＳ１１では２４０個の全ての測光素子からの測光値（非対数変換値）を入力する。ステップＳ１２ではスクリーン判別部８からの判別信号によりカメラボディ１０に取付けられているファインダスクリーンを識別する。スプリットプリズムやマイクロプリズムが設けられていないファインダスクリーン１１と判定された場合にはステップＳ１３に進み、第１のスポット測光領域Ｓｐ３を構成する４個の測光素子Ｅ１〜Ｅ４からの測光値Ｂ１〜Ｂ４の平均値Ａｖ３を、
Ａｖ３＝（Ｂ１＋Ｂ２＋Ｂ３＋Ｂ４）／４
により演算し、ステップＳ１４では平均値Ａｖ３を対数変換して次式により第１のスポット測光領域Ｓｐ３の測光値Ｂｓｐ３を算出する。
Ｂｓｐ３＝ｌｏｇ2Ａｖ３＋Ｏｂ３
ただし、Ｏｂ３はオフセット補正値
この演算された測光値Ｂｓｐ３に基づいて露出値が決定される。
【００１９】
一方、スプリットプリズムあるいはマイクロプリズムが設けられているファインダスクリーン１２または１３が取付けられていると判定された場合にはステップＳ１５に進み、第２のスポット測光領域Ｓｐ４を構成する１２個の測光素子Ｅ１〜Ｅ１２からの測光値Ｂ１〜Ｂ１２の平均値Ａｖ４を、
Ａｖ４＝（Ｂ１＋Ｂ２＋Ｂ３＋Ｂ４＋Ｂ５＋Ｂ６＋Ｂ７＋Ｂ８＋Ｂ９＋Ｂ１０＋Ｂ１１＋Ｂ１２）／１２
により演算し、ステップＳ１６では、平均値Ａｖ４を対数変換して次式によりスポット測光領域Ｓｐ４の測光値Ｂｓｐ４を算出する。
Ｂｓｐ４＝ｌｏｇ2Ａｖ４＋Ｏｂ４
ただし、Ｏｂ４はオフセット補正値
この演算された測光値Ｂｓｐ４に基づいて露出値が決定される。
【００２０】
本実施の形態においても、測光に悪影響を与えるスプリットプリズムやマイクロプリズムを備えたファインダスクリーンが装着されている場合には、スポット測光領域が通常の領域よりも広くなる。したがって上述と同様の効果が得られる。
【００２１】
以上では３種類のファインダスクリーンを識別する例を挙げたが、ファインダスクリーンの種類や数は実施の形態に限定されない。また、スプリットプリズムやマイクロプリズム以外にスポット測光に悪影響を与える素子が設けられている場合にも同様に適用できる。さらにスポット測光領域の配置や広さは実施の形態に限定されない。ファインダスクリーンの判別方式も実施の形態に限定されず、例えば光学式やその他の方式で判別するものでもよい。
なお、本明細書でいう「ファインダスクリーン交換式」とは、ファインダスクリーン単体を交換するものもファインダ部そのものを交換するものも含む。
【００２２】
【発明の効果】
本発明によれば、装着されるファインダスクリーンの種類を識別し、その結果に応じて被写界における測光範囲を変更するようにしたので、測光に影響を与えるスプリットプリズムやマイクロプリズムを備えたファインダスクリーンを用いた場合でも正確なファインダ内スポット測光が行える。したがってスポット測光専用の測光素子をファインダ外に設ける必要がなく、コスト的および配置スペース的に有利である。
請求項２の発明は、装着されているファインダスクリーンが所定のタイプのものか否かを判別し、所定のタイプのファインダスクリーンと判別された場合には第１の領域に対する測光値を選択し、所定のタイプ以外のファインダスクリーンと判別された場合には第２の領域に対する測光値を選択するようにしたので、上述と同様の効果が得られる。特に第２の領域を第１の領域を含みかつ第１の領域よりも広い領域とすれば、適正な領域を正確にスポット測光できる可能性が高くなる。
【図面の簡単な説明】
【図１】本発明の実施の形態に係るカメラの構成を示す概略側面図。
【図２】第１の実施の形態における測光素子を示す正面図。
【図３】ファインダスクリーンの３例を示す図。
【図４】第１の実施の形態の動作を説明するフローチャート。
【図５】第２の実施の形態における測光素子を示す正面図。
【図６】第２の実施の形態の動作を説明するフローチャート。
【符号の説明】
１  撮影レンズ
３，１１〜１３  ファインダスクリーン
６  測光センサ
７  演算装置
８  スクリーン判別部
１０  カメラボディ
１４  ファインダスクリーンの判別用部材
【図１】
0004092737.tif 000002
【図２】
0004092737.tif 000003
【図３】
0004092737.tif 000004
【図４】
0004092737.tif 000005
【図５】
0004092737.tif 000006
【図６】
0004092737.tif 000007